(57)【要約】【課題】屋根上架台装置の取り付け作業を容易にすることができ、しかも屋根上架台装置を取り付けた屋根上に落ち葉やごみ等が溜まる不都合を解消することのできる屋根上架台装置及び架台瓦を提供する。【解決手段】他の瓦と共に下地材上に屋根葺きされて瓦屋根を構成し、瓦本体部９と、瓦屋根の横方向に延びるように瓦本体部９の上面に一体に設けられたアーチ部１０とを有する複数の架台瓦１と、アーチ部１０に基端側が固定された複数の支柱ボルト２と、支柱ボルト２の先端側に固定された複数のブラケット３と、ブラケット３に架け渡し保持され、屋根上設置部材が取り付けられる複数の縦桟４及び横桟とを備えている。【選択図】図１
2007100380.tif 000002
【特許請求の範囲】
【請求項１】
屋根上設置部材を瓦屋根上に取り付けるための屋根上架台装置であって、
他の瓦と共に下地材上に屋根葺きされて前記瓦屋根を構成し、瓦本体部と、該瓦屋根の横方向に延びるように該瓦本体部の上面に一体に設けられたアーチ部とを有する複数の架台瓦と、
前記アーチ部に基端側が固定された複数の支柱と、
前記支柱の先端側に固定された複数のブラケットと、
前記ブラケットに架け渡し保持され、屋根上設置部材が取り付けられる複数の縦桟及び横桟とを備えていることを特徴とする屋根上架台装置。
【請求項２】
前記アーチ部は、該アーチ部を厚さ方向に貫通して前記支柱の基端側が挿通される挿通孔を有し、かつ、該支柱は基端側に雄ねじ部を有し、
前記挿通孔に挿通された前記支柱の雄ねじ部に雌ネジ部材が螺合することで、該支柱が前記アーチ部に固定されていることを特徴とする請求項１記載の屋根上架台装置。
【請求項３】
前記架台瓦及び前記他の瓦は葺き重ねられることで前記下地材に対して斜めに配設され、
前記挿通孔は、前記下地材に対して垂直に延びるように前記アーチ部を斜め方向に貫通し、
前記挿通孔に挿通された前記支柱が前記下地材に対して垂直に延びた状態で前記アーチ部に固定されていることを特徴とする請求項２記載の屋根上架台装置。
【請求項４】
前記アーチ部の上面及び下面のうちの少なくとも一方を覆うように固定された少なくとも一つの補強板をさらに備えていることを特徴とする請求項１、２又は３記載の屋根上架台装置。
【請求項５】
一端が前記下地材に固定されるとともに他端が前記瓦本体部の端縁部に係止されることで、該下地材からの該瓦本体部の浮き上がりを防止する浮上防止具をさらに備えていることを特徴とする請求項１、２、３又は４記載の屋根上架台装置。
【請求項６】
前記瓦本体部は上方に隆起した隆起部を有し、該隆起部には該瓦本体部を厚さ方向に貫通する釘孔が貫設され、
前記釘孔に挿通されるとともに前記下地材に固定されることで、該下地材からの前記瓦本体部の浮き上がりを防止する浮上防止釘をさらに備えていることを特徴とする請求項１、２、３、４又は５記載の屋根上架台装置。
【請求項７】
前記架台瓦は、前記アーチ部となる雪止め部を有する輪形雪止め瓦の該雪止め部に、前記挿通孔を貫設してなるものであることを特徴とする請求項２、３、４、５又は６記載の屋根上架台装置。
【請求項８】
屋根上設置部材を瓦屋根上に取り付けるための屋根上架台装置に用いられ、他の瓦と共に葺き重ねられることで下地材に対して斜めに配設されつつ該下地材上に屋根葺きされて該瓦屋根を構成する架台瓦であって、
瓦本体部と、
前記瓦屋根の横方向に延びるように前記瓦本体部の上面に一体に設けられたアーチ部とを有し、
前記アーチ部は、前記下地材に対して垂直に延びるように該アーチ部を斜め方向に貫通するとともに、前記屋根上架台装置の支柱の基端側が挿通される挿通孔を有していることを特徴とする架台瓦。
【請求項９】
前記瓦本体部は上方に隆起した隆起部を有し、該隆起部には該瓦本体部を厚さ方向に貫通する釘孔が貫設されていることを特徴とする請求項８記載の架台瓦。
【発明の詳細な説明】
【技術分野】
【０００１】
本発明は、太陽光発電パネル等の屋根上設置部材を瓦屋根上に取り付けるための屋根上架台装置及びこの屋根上架台装置に用いられる架台瓦に関するものである。
【背景技術】
【０００２】
従来、パネル等の屋根上設置部材を瓦屋根に取り付けるための屋根上架台装置として、基盤プレートを用いたものが知られている（例えば、特許文献１参照）。
【０００３】
この屋根上架台装置は、瓦屋根の垂木間に架設された複数の基盤プレートと、下端部が基盤プレートに固定保持された支柱ボルト群と、瓦の頂部から突出した支柱ボルト群の各上端部に瓦から浮いた状態で固定された縦桟及び横桟よりなる井桁状ラックとから構成されている。
【０００４】
しかしながら、この従来の屋根上架台装置は、１個の基盤プレートを固定するのに通常５、６枚の瓦を取り外す必要があり、取り付け作業が面倒であった。
【０００５】
そこで、基盤プレートの代わりに支持瓦を用いた屋根上架台装置も知られている（例えば、特許文献２参照）。
【０００６】
この屋根上架台装置における支持瓦は、他の瓦と共に下地材上に屋根葺きされて瓦屋根を構成するもので、瓦本体部と、瓦本体部のほぼ中央上面に突設された支持台とを有している。そして、この支持瓦の支持台に、パネル等を支持するアタッチメントをボルト等により取り付けている。
【０００７】
このような支持瓦を利用すれば、基盤プレートを用いる場合と比較して、屋根上架台装置の取り付け作業が容易となる。しかし、上記従来の支持瓦は、瓦本体部のほぼ中央上面に支持台が突設されている。瓦本体部のほぼ中央上面は、通常、瓦本体部上で水が流れる主部位となる。このため、上記従来の支持瓦では、瓦本体部上における水の流れが支持台で阻害される。したがって、この屋根上架台装置を屋根に取り付けると、屋根上に落ち葉やごみ等が溜まり易いという、不都合があった。
【特許文献１】特開平８−２３２４１３号公報
【特許文献２】特開２０００−３４５６６０号公報
【発明の開示】
【発明が解決しようとする課題】
【０００８】
本発明は上記事情に鑑みてなされたもので、屋根上架台装置の取り付け作業を容易にすることができ、しかも屋根上架台装置を取り付けた屋根上に落ち葉やごみ等が溜まる不都合を解消することのできる屋根上架台装置及び架台瓦を提供することを解決すべき技術課題とするものである。
【課題を解決するための手段】
【０００９】
上記課題を解決する本発明の屋根上架台装置は、屋根上設置部材を瓦屋根上に取り付けるための屋根上架台装置であって、他の瓦と共に下地材上に屋根葺きされて前記瓦屋根を構成し、瓦本体部と、該瓦屋根の横方向に延びるように該瓦本体部の上面に一体に設けられたアーチ部とを有する複数の架台瓦と、前記アーチ部に基端側が固定された複数の支柱と、前記支柱の先端側に固定された複数のブラケットと、前記ブラケットに架け渡し保持され、屋根上設置部材が取り付けられる複数の縦桟及び横桟とを備えていることを特徴とするものである。
【００１０】
ここに、前記アーチ部とは、前記瓦本体部の上面に一体に設けられて該瓦本体部の上面との間に空洞部を形成するものであり、かかる空洞部を形成しうる形状であれば特に限定されず、弓状又は円弧状等のように、断面形状において曲線部のみからなる弧形状のものに限定する趣意ではない。例えば、断面形状においてアーチ部の頂面付近のみに直線部を有するものや、頂辺及び両側辺の３辺の直線部からなる断面コの字形状のものも前記アーチ部に含まれる。
【００１１】
この屋根上架台装置では、他の瓦と共に瓦屋根を構成する架台瓦のアーチ部に支柱が固定されている。このため、この架台瓦においては、屋根上架台装置の支柱を固定するための貫通孔等が瓦本体部に設けられていない。したがって、この屋根上架台装置によれば、支柱を固定するための貫通孔を瓦本体部に設けることにより発生する、雨漏れを確実に防ぐことができる。
【００１２】
また、この屋根上架台装置によれば、支柱を固定するための基盤プレートが不要となる。したがって、部品点数が低減する。
【００１３】
また、基盤プレートを設置するための面倒な作業を省くことができるので、瓦屋根に対する屋根上架台装置の取り付け作業も簡単になる。すなわち、この屋根上架台装置では、屋根上設置部材を取り付けるのに必要な縦桟及び横桟の数に応じて、必要な数の支柱分だけ、本発明に係る架台瓦を準備する。そして、屋根上設置部材を設置する瓦屋根において、本発明に係る架台瓦１個につき、所定部位の瓦を１個又は２個程度取り外して、そのうちの１個を本発明に係る架台瓦と取り替えればよい。このため、この屋根上架台装置によれば、瓦屋根に取り付ける際に支柱１本当たり１個又は２個程度の瓦を取り外すだけでいいので、支柱１本当たり（すなわち、基盤プレート１個当たり）５、６枚の瓦を取り外す必要がある従来工法と比べて、極めて簡単に取り付けることができる。
【００１４】
さらに、この屋根上架台装置では、瓦屋根の横方向に延びるように瓦本体部に設けられたアーチ部と、瓦本体部の上面との間には、瓦屋根の縦方向に開口する空洞部が形成されているので、たとえ瓦本体部上の主に水が流れる部位にアーチ部を設けたとしても、空洞部により水の通り道を確保することができる。このため、この瓦本体部の上面では水がスムーズに流れる。したがって、この屋根上架台装置によれば、架台瓦の瓦本体部上で、水の流れが阻害されたり、落ち葉やごみ等が溜まったりする不都合を解消することができる。
【００１５】
本発明の屋根上架台装置の好適な態様において、前記アーチ部は、該アーチ部を厚さ方向に貫通して前記支柱の基端側が挿通される挿通孔を有し、かつ、該支柱は基端側に雄ねじ部を有し、前記挿通孔に挿通された前記支柱の雄ねじ部に雌ネジ部材が螺合することで、該支柱が前記アーチ部に固定されている。
【００１６】
この屋根上架台装置では、アーチ部に設けられた挿通孔に支柱の基端側を挿通した後、この基端側に設けられた雄ねじ部に雌ねじ部材を螺合するという、簡単な作業により、アーチ部に支柱の基端側を固定することができる。また、この作業は、瓦屋根として組み込まれていない状態の架台瓦に対して行うことができるので、極めて簡単かつ短時間で行うことができる。
【００１７】
本発明の屋根上架台装置の好適な態様において、前記架台瓦及び前記他の瓦は葺き重ねられることで前記下地材に対して斜めに配設され、前記挿通孔は、前記下地材に対して垂直に延びるように前記アーチ部を斜め方向に貫通し、前記挿通孔に挿通された前記支柱が前記下地材に対して垂直に延びた状態で前記アーチ部に固定されている。
【００１８】
この屋根上架台装置では、アーチ部に設けられた挿通孔が、下地材に対して垂直に延びるように該アーチ部を斜め方向に貫通している。このため、この挿通孔に挿通された支柱は、下地材に対して垂直に延びた状態で固定されている。したがって、下地材に対して垂直に延びた支柱に対して縦桟及び横桟が垂直に延びるように、該支柱の先端側に固定されたブラケットに該縦桟及び横桟を架け渡し保持させれば、該縦桟及び横桟は下地材に対して平行に延びることになる。よって、下地材に対して傾斜して配設された架台瓦及び他の瓦に該縦桟及び横桟が干渉することを回避できる。
【００１９】
本発明の屋根上架台装置は、好適な態様において、前記アーチ部の上面及び下面のうちの少なくとも一方を覆うように固定された少なくとも一つの補強板をさらに備えている。
【００２０】
この屋根上架台装置では、アーチ部に固定された支柱を介して、ブラケット、縦桟及び横桟並びに屋根上設置部材からの荷重を受けるアーチ部が、補強板により補強されている。このため、前記荷重によりアーチ部が破損することを抑えることができる。なお、アーチ部の破損をより確実に抑える観点より、少なくともアーチ部の下面に補強板を固定することがより好ましく、アーチ部の上面及び下面の双方に補強板を固定することが特に好ましい。
【００２１】
本発明の屋根上架台装置は、好適な態様において、一端が前記下地材に固定されるとともに他端が前記瓦本体部の端縁部に係止されることで、該下地材からの該瓦本体部の浮き上がりを防止する浮上防止具をさらに備えている。
【００２２】
この屋根上架台装置では、下地材に固定された浮上防止具が瓦本体部の端縁部に係止されているので、風等により架台瓦が下地材から浮き上がることを抑えることができる。
【００２３】
本発明の屋根上架台装置は、好適な態様において、前記瓦本体部は上方に隆起した隆起部を有し、該隆起部には該瓦本体部を厚さ方向に貫通する釘孔が貫設され、前記釘孔に挿通されるとともに前記下地材に固定されることで、該下地材からの前記瓦本体部の浮き上がりを防止する浮上防止釘をさらに備えている。
【００２４】
ここに、前記浮上防止釘とは、前記隆起部に貫設された釘孔に挿通されるとともに前記下地材に固定されることで、該下地材からの前記瓦本体部の浮き上がりを抑えることができるものであれば特に限定されない。例えば、所謂釘の他にねじ釘やボルトも前記浮上防止釘に含まれる。
【００２５】
この屋根上架台装置では、隆起部の釘孔に挿通されて下地材に固定された浮上防止釘により、風等により架台瓦が下地材から浮き上がることを抑えることができる。また、釘孔が貫設された隆起部は水が流れる主な部位とはならないため、この釘孔からの雨漏れを抑えることができる。
【００２６】
本発明の屋根上架台装置の好適な態様において、前記架台瓦は、前記アーチ部となる雪止め部を有する輪形雪止め瓦の該雪止め部に、前記挿通孔を貫設してなるものである。
【００２７】
この屋根上架台装置では、既製品としての輪形雪止め瓦に所定の挿通孔を貫設するだけで、本発明に係る架台瓦とすることができるので、極めて簡単かつ安価に架台瓦を準備することが可能となる。
【００２８】
上記課題を解決する本発明の架台瓦は、屋根上設置部材を瓦屋根上に取り付けるための屋根上架台装置に用いられ、他の瓦と共に葺き重ねられることで下地材に対して斜めに配設されつつ該下地材上に屋根葺きされて該瓦屋根を構成する架台瓦であって、瓦本体部と、前記瓦屋根の横方向に延びるように前記瓦本体部の上面に一体に設けられたアーチ部とを有し、前記アーチ部は、前記下地材に対して垂直に延びるように該アーチ部を斜め方向に貫通するとともに、前記屋根上架台装置の支柱の基端側が挿通される挿通孔を有していることを特徴とするものである。
【００２９】
この架台瓦では、屋根上架台装置の支柱の基端側が挿通される挿通孔がアーチ部に設けられている。このため、この架台瓦においては、屋根上架台装置の支柱を固定するための貫通孔等が瓦本体部に設けられていない。したがって、この架台瓦によれば、支柱を固定するための貫通孔を瓦本体部に設けることにより発生する、雨漏れを確実に防ぐことができる。
【００３０】
また、この架台瓦によれば、屋根上架台装置において、支柱を固定するための基盤プレートが不要となる。したがって、屋根上架台装置の部品点数を低減させることができる。
【００３１】
また、瓦屋根に対する屋根上架台装置の取り付け作業も簡単になる。すなわち、屋根上設置部材を取り付けるのに必要な縦桟及び横桟の数に応じて、必要な数の支柱分だけ、本発明に係る架台瓦を準備する。そして、屋根上設置部材を設置する瓦屋根において、本発明に係る架台瓦１個につき、所定部位の瓦を１個又は２個程度取り外して、そのうちの１個を本発明に係る架台瓦と取り替えればよい。このため、この架台瓦によれば、屋根上架台装置を瓦屋根に取り付ける際に、支柱１本当たり１個又は２個程度の瓦を取り外すだけでいいので、支柱１本当たり（すなわち、基盤プレート１個当たり）５、６枚の瓦を取り外す必要がある従来工法と比べて、極めて簡単に屋根上架台装置を取り付けることができる。
【００３２】
さらに、この架台瓦では、瓦屋根の横方向に延びるように瓦本体部に設けられたアーチ部と、瓦本体部の上面との間には、瓦屋根の縦方向に開口する空洞部が形成されているので、たとえ瓦本体部上の主に水が流れる部位にアーチ部を設けたとしても、空洞部により水の通り道を確保することができる。このため、この瓦本体部の上面では水がスムーズに流れる。したがって、この架台瓦によれば、瓦本体部上で、水の流れが阻害されたり、落ち葉やごみ等が溜まったりする不都合を解消することができる。
【００３３】
また、この架台瓦では、アーチ部に設けられた挿通孔に屋根上架台装置の支柱の基端側を挿通した後、この基端側に設けられた雄ねじ部に雌ねじ部材を螺合するという、簡単な作業により、アーチ部に支柱の基端側を固定することができる。また、この作業は、瓦屋根として組み込まれていない状態の架台瓦に対して行うことができるので、極めて簡単かつ短時間で行うことができる。
【００３４】
さらに、この架台瓦では、アーチ部に設けられた挿通孔が、下地材に対して垂直に延びるように該アーチ部を斜め方向に貫通している。このため、この挿通孔に挿通させた支柱を下地材に対して垂直に延びた状態で固定することができる。したがって、下地材に対して垂直に延びた支柱に対して縦桟及び横桟が垂直に延びるように、該支柱の先端側に固定されたブラケットに該縦桟及び横桟を架け渡し保持させれば、該縦桟及び横桟は下地材に対して平行に延びることになる。よって、下地材に対して傾斜して配設された架台瓦及び他の瓦に該縦桟及び横桟が干渉することを回避できる。
【００３５】
本発明の架台瓦の好適な態様において、前記瓦本体部は上方に隆起した隆起部を有し、該隆起部には該瓦本体部を厚さ方向に貫通する釘孔が貫設されている。
【００３６】
この架台瓦では、隆起部の釘孔に浮上防止釘を挿通して下地材に固定することで、風等により架台瓦が下地材から浮き上がることを抑えることができる。また、釘孔が貫設された隆起部は水が流れる主な部位とはならないため、この釘孔からの雨漏れを抑えることができる。
【発明を実施するための最良の形態】
【００３７】
以下、本発明の実施形態について、図面を参照しつつ具体的に説明する。
【００３８】
本実施形態は、屋根上設置部材としての太陽光発電パネルを瓦屋根上に取り付けるための屋根上架台装置に本発明を適用したものである。
【００３９】
この屋根上架台装置は、複数の架台瓦１と、複数の支柱としての支柱ボルト２と、複数のブラケット３と、複数の縦桟４及び横桟５とを備えている。
【００４０】
架台瓦１は、図３及び図８に示されるように、他の瓦６と共に葺き重ねられることで下地材としての野地板７に対して斜めに配設されつつ、野地板７上に屋根葺きされて瓦屋根８を構成している。すなわち、図３に示されるように、各架台瓦１及び各瓦６は、瓦屋根８の縦方向（図１及び図８の上下方向で、図３の左右方向）において、野地板７に対して、それぞれ傾斜角θの角度で傾斜して配設されている。また、図８に示されるように、架台瓦１は、瓦屋根８の縦方向に所定の間隔を隔てるとともに、瓦屋根８の横方向（図１及び図８の左右方向）にも所定の間隔を隔てて、所定の数だけ配設されている。なお、図８において、斜線を付した瓦が架台瓦１であり、それ以外の瓦が他の瓦６である。
【００４１】
この架台瓦１は、粘土の焼き物よりなる既製品としての輪形雪止め瓦に所定の挿通孔等を貫設してなるもので、図１及び図２に示されるように、瓦本体部９と、瓦屋根８の横方向（図１及び図８の左右方向）に延びるように瓦本体部９の上面に一体に設けられたアーチ部１０とを有している。アーチ部１０は、弓状をなす断面弧形状を有している。このアーチ部１０により、アーチ部１０と瓦本体部９の上面との間には、瓦屋根８の縦方向に両端が開口する空洞部１１が形成されている。また、アーチ部１０は、瓦本体部９の厚さと同程度又はそれ以上の厚さとされている。
【００４２】
アーチ部１０は、野地板７に対して垂直に延びるようにアーチ部７を斜め方向に貫通するとともに、支柱ボルト２の下端側（基端側）が挿通される挿通孔１２を有している。すなわち、図３に示されるように、挿通孔１２及び挿通孔１２に挿通された支柱ボルト２の中心軸Ａは、野地板７に対して垂直にのびており、かつ、野地板７に対して傾斜角θの角度で傾斜して配設された瓦本体１の法線Ｂに対して傾斜角θの角度で斜めに延びている。
【００４３】
架台瓦１の瓦本体部９は、所謂和形をなし、瓦本体部９が上方に隆起するように湾曲した隆起部としての湾曲隆起部１３を有している。そして、この湾曲隆起部１３の頂部に、瓦本体部９を厚さ方向に貫通する釘孔１４が貫設されている。この釘孔１４には、野地板７に固定されることで、野地板７からの瓦本体部９の浮き上がりを防止する浮上防止ねじ釘１５が挿通されている。本実施形態では、釘孔１４と浮上防止ねじ釘１５との間には、ブチルゴム系のシール付きパッキン１６が介装されており、釘孔１７からの雨漏れを防止している。
【００４４】
また、架台瓦１の瓦本体部９は、瓦本体部９の側端縁が上方に突出した突出端縁部１７を有している。この突出端縁部１７には、一端が野地板７に釘（図示せず）で固定された浮上防止具１８の他端が係止されている。この浮上防止具１８は、金属板を屈曲成形したしたもので、釘穴１９が貫設された基端部２０と、突出端縁部１７の頂面形状に対応して略コの字状に屈曲形成された屈曲係止端部２１とを有している。こうして浮上防止具１８の基端部１９が野地板７に釘打ちされるとともに、浮上防止具１８の屈曲係止端部２１が瓦本体部９の突出端縁部１７に係合することで、野地板７からの瓦本体部９の浮き上がりが防止されている。
【００４５】
支柱ボルト２は、頭部を有しない単純な棒形状をなし、軸方向の全体にわたって外周面に雄ねじ部２２が形成されている。そして、支柱ボルト２の下端側がアーチ部１０の挿通孔１２に挿通されるとともに、支柱ボルト２の下端部に雌ねじ部材としてのナット状駒部材２３が螺合されている。このナット状駒部材２３の雌ねじ孔２４は、アーチ部１０に貫設された挿通孔１２と同様、ナット状駒部材２３を斜め方向に貫通している。これにより、支柱ボルト２は、野地板７に対して垂直に延びた状態で、アーチ部１０に固定可能とされている。
【００４６】
また、本実施形態に係る屋根上架台装置は、アーチ部１０の上面及び下面の双方を覆うように固定された２つの補強板２５、２６をさらに備えている。補強板２５、２６は、厚さが４ｍｍ程度の鉄板よりなり、支柱ボルト２を挿通させる通孔が所定部位に貫設されている。なお、補強板の厚さとしては、３〜４ｍｍ程度とすることが好ましい。これらの補強板２５、２６は、アーチ部１０の上面、下面に配置された状態で、支柱ボルト２の下端側を補強板２５の上方から補強板２５の通孔、アーチ部１０の挿通孔１２及び補強板２６の通孔に通した後、支柱ボルト２の下端部にナット状駒部材２３を螺合するとともに、支柱ボルト２の上端側から平ワッシャー２７、スプリングワッシャー２８及びナット２９をこの順で取り付け、ナット２９及びナット状駒部材２３で補強板２５、２６及びアーチ部１０の三者を締め付け挟持することにより、アーチ部１０に固定することができる。また、補強板２５、２６は、アーチ部１０の上面及び下面と略対応した外形状を有しており、アーチ部１０の上面及び下面のほぼ全体を覆っている。こうして、アーチ部１０に下端側が固定された支柱ボルト２は、野地板７に対して垂直に延びている（図３参照）。
【００４７】
ブラケット３は、支柱ボルト２の上端側に、上下一対のナット３０、３１により所定の高さ位置で固定されている。すなわち、ブラケット３は、支柱ボルト２の所定の高さ位置で螺合、保持された、レベルナットとして機能する下ナット３１により、高さ位置が調整されて保持されている。
【００４８】
このブラケット３は、アルミニウム合金板を曲げ加工して一体に形成したもので、図４に示されるように、支柱ボルト２を挿通させる通孔３２が頂面に貫設された断面コの字状の中央部３３と、中央部３３の両端から連続して延びる断面Ｌ字状の側部３４、３４とから構成されている。この構成により、ブラケット３は、２本の長尺状ラック３５、３５を間隔を隔てて平行に、かつ、ラック３５が延びる方向にそれぞれスライド可能に保持しうる２個の保持部３６、３６を有している。
【００４９】
すなわち、本実施形態では、各縦桟４が、間隔を隔てて平行に延びる２本のラック３５、３５で構成されている。このラック３５、３５、アルミニウム合金よりなる押出成形品で、断面が長方形の筒状をなしている。各ラック３５、３５は、瓦本体部９の法線方向に縦長となるように保持部３６、３６に保持されるとともに、ラック３５、３５の頂面に当接して押圧可能な押さえ板３７を介して、上ナット３０により締め付け固定されている。
【００５０】
各横桟５は、アルミニウム合金よりなる押出成形品である。各横桟５は、図５〜図７に示されるように、複数の縦桟４の上面の所定位置に架け渡された状態で、横桟用ブラケット３８により固定保持されている。また、横桟５の底面には、後述する固定ボルト４２が挿通する通孔４４が貫設されている（図７参照）。
【００５１】
なお、図６は、図５のＣ−Ｃ線矢視断面図であり、図７は、図６のＤ−Ｄ線矢視断面図である。
【００５２】
横桟用ブラケット３８は、ブラケット３と同様、アルミニウム合金板を曲げ加工して一体に形成したもので、図６に示されるように、断面コの字状の中央部３９と、中央部３９の両端から連続して延びる断面Ｌ字状の側部４０、４０とから構成されている。この構成により、横桟用ブラケット３８は、２本の長尺状ラック３５、３５を間隔を隔てて平行に保持しうる２個の保持部４１、４１を有している。また、横桟用ブラケット３８の中央部３９には、頂面から上方に突出する固定ボルト４２が溶接により固定されるとともに、保持部４１、４１の上方を覆う金属薄板（図６及び図７において、黒く塗った薄板部材）４３が接着により固定されている。この薄板４２は、後述するように、取り付け作業時に、縦桟４を構成する各ラック３５、３５に対して、横桟用ブラケット３８を、ラック３５が延びる方向にスライド可能に保持するためのものである。
【００５３】
上記構成を有する本実施形態に係る屋根上架台装置を、瓦屋根８に取り付ける方法について、以下説明する。
【００５４】
予め、ナット状駒部材２３、平ワッシャー２７、スプリングワッシャー２８及びナット２９により、アーチ部１０の上面、下面に補強板２５、２６を配設、固定するとともに、アーチ部１０に支柱ボルト２の下端部を固定した複数の架台瓦１を準備しておく、そして、瓦屋根８の所定部位の瓦６を１〜２個取り外し、そのうちの１個の代わりに架台瓦１を野地板７上に配置する。このとき、浮上防止具１８を瓦本体部９の突出端縁部１７に係止させるとともに、浮上防止具１８を野地板７上に釘打ちする。また、浮上防止ねじ釘１５を瓦本外部９の釘孔１４に挿通させて野地板７上に固定する。この作業を各架台瓦１について繰り返して、架台瓦１を他の瓦５と共に野地板７に葺き重ねて、瓦屋根８とする。
【００５５】
その後、各支柱ボルト２に対して各下ナット３１をレベル調整しつつ所定の高さに螺合、保持させる。そして、各支柱ボルト２の上端から各ブラケット３を挿通して下ナット３１上に保持させる。
【００５６】
一方、２本のラック３５、３５に複数の横桟用ブラケット３８を仮保持させたものを複数準備しておく。すなわち、横桟用ブラケット３８の保持部４１、４１と、金属薄板４３との間の空間にラック３５、３５を端部から挿入させる作業を繰り返すことで、２本のラック３５、３５に対して、複数の横桟用ブラケット３８をスライド可能に保持させておく。
【００５７】
そして、横桟用ブラケット３８を仮保持した２本のラック３５、３５を、各ブラケット３の保持部３６、３６上でスライドさせながら所定位置に架け渡し、保持させる。なお、この保持状態で、ラック３５の頂面はブラケット３の中央部３２の頂面よりも高い位置にある。このとき、２本のラック３５、３５を各ブラケット３の保持部３６、３６上に架け渡した後、各支持ボルト２の上端から押さえ板３７を挿通させるとともに上ナット３０を仮締めした状態で、ラック３５を保持部３６上でスライドさせて所定位置に位置させてもよい。そして、上ナット３０を締め付けることで、ブラケット３の中央部３２の頂面よりも高いラック３５、３５の頂面に押さえ板３７を押圧し、この押さえ板３７とブラケット３の保持部３６、３６の底面との間でラック３５、３５を挟持するように、ブラケット３にラック３５、３５を固定する。
【００５８】
その後、ラック３５、５３に仮保持させた横桟用ブラケット３８をスライドさせて所定位置に位置させる。そして、各横桟用ブラケット３８の固定ボルト４２に横桟５の通孔４４を挿通させて、各横桟５を縦桟４上に架け渡し、保持させ、固定ボルト４２にナット４５を螺合することで横桟用ブラケット３８に横桟５を固定する。
【００５９】
こうして、瓦屋根８に対して、本実施形態の屋根上架台装置を取り付けことができる。そして、図８に示されるように、この屋根上架台装置に対して、太陽光発電パネル４５を取り付けることができる。
【００６０】
以上説明したように、本実施形態に係る屋根上架台装置では、他の瓦５と共に瓦屋根８を構成する架台瓦１のアーチ部１０に支柱ボルト２が固定されている。このため、この架台瓦１においては、屋根上架台装置の支柱を固定するための貫通孔等が瓦本体部９に設けられていない。したがって、この屋根上架台装置によれば、支柱を固定するための貫通孔を瓦本体部９に設けることにより発生する、雨漏れを確実に防ぐことができる。
【００６１】
また、この屋根上架台装置によれば、支柱を固定するための基盤プレートが不要となる。したがって、部品点数が低減する。
【００６２】
また、基盤プレートを設置するための面倒な作業を省くことができるので、瓦屋根８に対する屋根上架台装置の取り付け作業も簡単になる。すなわち、この屋根上架台装置では、太陽光発電パネル４５を取り付けるのに必要な縦桟４及び横桟５の数に応じて、必要な数の支柱ボルト２分だけ、架台瓦１を準備する。そして、太陽光発電パネル４５を設置する瓦屋根８において、１個の架台瓦１につき、所定部位の瓦６を１個又は２個程度取り外して、そのうちの１個を架台瓦１と取り替えればよい。このため、この屋根上架台装置によれば、瓦屋根８に取り付ける際に１本の支柱ボルト２当たり１個又は２個程度の瓦６を取り外すだけでいいので、極めて簡単に取り付けることができる。
【００６３】
さらに、この屋根上架台装置では、瓦屋根８の横方向に延びるように瓦本体部９に設けられたアーチ部１０と、瓦本体部９の上面との間には、瓦屋根８の縦方向に開口する空洞部１１が形成されているので、たとえ瓦本体部９上の主に水が流れる部位にアーチ部１０を設けたとしても、空洞部１１により水の通り道を確保することができる。このため、この瓦本体部９の上面では水がスムーズに流れる。したがって、この屋根上架台装置によれば、架台瓦１の瓦本体部９上で、水の流れが阻害されたり、落ち葉やごみ等が溜まったりする不都合を解消することができる。
【００６４】
また、この屋根上架台装置では、アーチ部１０に設けられた挿通孔１２に支柱ボルト２の下端側を挿通した後、雄ねじ部２２にナット状駒部材２３を螺合するという、簡単な作業により、アーチ部１０に支柱ボルト２の下端側を固定することができる。また、この作業は、瓦屋根８として組み込まれていない状態の架台瓦１に対して行うことができるので、極めて簡単かつ短時間で行うことができる。
【００６５】
この屋根上架台装置では、アーチ部１０に設けられた挿通孔１２が、野地板７に対して垂直に延びるようにアーチ部１０を斜め方向に貫通している。このため、この挿通孔１２に挿通させた支柱ボルト２を野地板７に対して垂直に延びた状態で固定することができる。したがって、野地板井７に対して垂直に延びた支柱ボルト２に対して縦桟４及び横桟５が垂直に延びるように、該支柱ボルト２の上端側に固定されたブラケット３に該縦桟４及び横桟５を架け渡し保持させれば、該縦桟４及び横桟５は野地板７に対して平行に延びることになる。よって、野地板７に対して傾斜して配設された架台瓦１及び他の瓦６に該縦桟４及び横桟５が干渉することを回避できる。
【００６６】
また、この屋根上架台装置では、アーチ部１０に固定された支柱ボルト２を介して、ブラケット３、縦桟４及び横桟５並びに太陽光発電パネル４５からの荷重を受けるアーチ部１０が、２枚の補強板２５、２６により補強されている。このため、前記荷重によりアーチ部１０が破損することを効果的に抑えることができる。
【００６７】
ここに、本発明者は、荷重試験により、アーチ部１０を２枚の補強板２５、２６で補強することで、３７００Ｎの荷重をアーチ部１０の上面からかけても、アーチ部１０や瓦本体部９が破損しなかったことを確認している。
【００６８】
また、この屋根上架台装置では、浮上防止具１８及び浮上防止ねじ釘１５により、野地板７から瓦本体部９が浮き上がることを防止しているので、風等により架台瓦１が野地板７から浮き上がることを効果的に抑えることができる。さらに、釘孔１４が貫設された湾曲隆起部１３は水が流れる主な部位とはならないため、この釘孔１４からの雨漏れを抑えることができる。
【００６９】
また、この屋根上架台装置では、アーチ部１０となる雪止め部を有する輪形雪止め瓦の雪止め部に、挿通孔１２等を貫設してなるものであるため、既製品としての輪形雪止め瓦に所定の挿通孔を貫設するだけで、架台瓦１とすることができ、極めて簡単かつ安価に架台瓦１を準備することが可能となる。
【００７０】
また、この屋根上架台装置では、各縦桟４が２本のラック３５、３５よりなるとともに、各ラック３５がアルミニウム合金よりなり筒状の長方形断面を有している。そして、各ラック３５は、瓦本体部９の法線方向に縦長となるように保持部３６に保持されている。これらの構成により、ラック３５、３５よりなる縦桟４は、瓦屋根８の形状に応じて、例えば長手方向における中央付近が上方に湾曲するように変形させつつ、取り付けることが可能になる。
【００７１】
（その他の実施形態）
なお、前述の実施形態では、架台瓦１として、粘土の焼き物よりなるものを採用したが、架台瓦１の材料は特に限定されず、例えば、アルミニウム合金等の金属としてもよい。また、架台瓦１における瓦本体部８の形状も特に限定されず、例えば、平板形状としたり、Ｓ形状としたりしてもよい。
【００７２】
また、本発明に係る架台瓦、支柱、ブラケット、縦桟及び横桟等の材料、形状や構成要素等は、前述した実施形態のもに限られず、本発明を逸脱しない範囲内で、適宜変更することが可能である。
【図面の簡単な説明】
【００７３】
【図１】本実施形態に係る屋根上架台装置の構成を示す部分斜視図である。
【図２】本実施形態に係る屋根上架台装置の要部構成を示す部分断面図である。
【図３】本実施形態に係る屋根上架台装置を下地材に対して取り付けた状態を部分的に示す断面図である。
【図４】本実施形態の屋根上架台装置の支柱、ブラケット及び縦桟等を示す分解斜視図である。
【図５】本実施形態の屋根上架台装置の支柱、ブラケット、縦桟及び横桟等を示し、縦桟上に横桟が架け渡された状態を示す部分斜視図である。
【図６】本実施形態の屋根上架台装置の縦桟及び横桟等を示し、縦桟上に横桟が架け渡された状態を示す、図５のＣ−Ｃ線矢視断面図である。
【図７】本実施形態の屋根上架台装置の縦桟及び横桟等を示し、縦桟上に横桟が架け渡された状態を示す、図６のＤ−Ｄ線矢視断面図である。
【図８】本実施形態に係る屋根上架台装置が瓦屋根上に取り付けられた状態を示す部分斜視図である。
【符号の説明】
【００７４】
１…架台瓦                          ２…支柱ボルト（支柱）
３…ブラケット                      ４…縦桟
５…横桟                            ６…他の瓦
７…野地板（下地材）                ８…瓦屋根
９…瓦本体部                      １０…アーチ部
１１…空洞部                        １２…挿通孔
１３…湾曲隆起部（隆起部）          １４…釘孔
１５…浮上防止ねじ釘                １７…突出端縁部
１８…浮上防止具                    ２２…雄ねじ部
２３…ナット状駒部材（雌ねじ部材）  ２５…補強板
２６…補強板
【図１】
2007100380.tif 000003
【図２】
2007100380.tif 000004
【図３】
2007100380.tif 000005
【図４】
2007100380.tif 000006
【図５】
2007100380.tif 000007
【図６】
2007100380.tif 000008
【図７】
2007100380.tif 000009
【図８】
2007100380.tif 000010